(57)【要約】【課題】呼び樋に溜まったゴミや落葉等を簡単に除去できる呼び樋を提供する。【解決手段】呼び樋本体１１と、呼び樋本体１１に設けられる開口と、前記開口に開閉自在に取付けられる開閉部１２と、開閉部１２に設けられる係合部１２ａと、呼び樋本体１１に設けられ呼び樋本体１１に開閉部１２が嵌め込まれたとき係合部１２ａと係合する被係合部１１ａと、を備えることを特徴とする。【選択図】図１
2014205999.tif 000002
【特許請求の範囲】
【請求項１】
呼び樋本体と、前記呼び樋本体に設けられる開口と、前記開口に開閉自在に取付けられる開閉部と、前記開閉部に設けられる係合部と、前記呼び樋本体に設けられ前記呼び樋本体に前記開閉部が嵌め込まれたとき前記係合部と係合する被係合部と、を備えることを特徴とする呼び樋。
【請求項２】
前記呼び樋本体から前記開閉部に亘って設けられ、前記開閉部の回動軸となり前記開閉部を開閉自在に回動させるヒンジ部を備えることを特徴とする請求項１記載の呼び樋。
【請求項３】
前記開閉部の縁に取付けられるパッキンを備えることを特徴とする請求項１又は請求項２記載の呼び樋。
【発明の詳細な説明】
【技術分野】
【０００１】
本発明は、呼び樋に関するものである。
【背景技術】
【０００２】
従来より、一般的に軒樋の集水器に接続される排水筒は、第一エルボと連通接続する。そして、第一エルボは呼び樋と連通接続する。そして、呼び樋は第二エルボと連通接続し、その第二エルボは竪樋と連通接続する。
【０００３】
一般的な従来の上記構成に対し、特許文献１に記載されている発明では、第一エルボは変形自在なジャバラ状にする。そして、第一エルボと排水筒、第一エルボと呼び樋との継ぎ目は、帯状ゴム板で捲回させる。こうすることで、第一エルボを取外し可能にする技術が知られている（例えば特許文献１参照）。
【先行技術文献】
【特許文献】
【０００４】
【特許文献１】特開平９−２２１８９２号公報
【発明の概要】
【発明が解決しようとする課題】
【０００５】
ところで、長年使用していると、呼び樋にゴミや落葉などが溜まり、呼び樋が詰まってしまうため、ゴミや落ち葉等の除去を定期的に行う必要がある。ここで、特許文献１に記載されている発明では、帯状ゴム板を緩和させると、排水筒と呼び樋から第一エルボを取外すことができる。そして、呼び樋の中に溜まったゴミや落葉等を除去していた。
【０００６】
しかし、呼び樋の第一エルボ側の端部から、ゴミや落葉等を掻き出すことになるので、ゴミや落葉等を除去し難いものであった。また、第一エルボの両端部を捲回している帯状ゴム板を緩和させて第一エルボを取外さなければ、呼び樋の中に溜まったゴミや落葉等を除去できない。そのため、作業工程数が多く煩わしいものであった。
【０００７】
本発明は上記従来の問題点に鑑みて発明したものであって、その目的とするところは、呼び樋に溜まったゴミや落葉等を簡単に除去できる呼び樋を提供することを課題とするものである。
【課題を解決するための手段】
【０００８】
上記課題を解決するために、本発明は、以下のような構成とする。
【０００９】
呼び樋本体と、前記呼び樋本体に設けられる開口と、前記開口に開閉自在に取付けられる開閉部と、前記開閉部に設けられる係合部と、前記呼び樋本体に設けられ前記呼び樋本体に前記開閉部が嵌め込まれたとき前記係合部と係合する被係合部と、を備えることを特徴とする。
【００１０】
また、前記呼び樋本体から前記開閉部に亘って設けられ、前記開閉部の回動軸となり前記開閉部を開閉自在に回動させるヒンジ部を備えることが好ましい。
【００１１】
また、前記開閉部の縁に取付けられるパッキンを備えることが好ましい。
【発明の効果】
【００１２】
本発明の呼び樋は、呼び樋に設けられる開口を介して呼び樋に溜まったゴミや落葉等を簡単に除去できる。
【図面の簡単な説明】
【００１３】
【図１】本発明の一実施形態の呼び樋の斜視図である。
【図２】本発明の一実施形態の呼び樋の側面視の断面図である。
【図３】本発明の一実施形態の軒樋から竪樋までを示した側面視の断面図である。
【発明を実施するための形態】
【００１４】
以下、本発明を添付図面に示す実施形態に基いて説明する。
【００１５】
本実施形態の呼び樋１は、図３に示すように、軒樋２と連通接続する第一エルボ３と竪樋５と連通接続する第二エルボ４との間に配設される。呼び樋１は、樹脂や金属で形成されるが、その材質は特に限定されない。本実施形態の呼び樋１は、呼び樋本体１１と、開閉部１２と、係合部１２ａと、被係合部１１ａと、を備える。
【００１６】
呼び樋本体１１は、本実施形態では、図１に示すように、呼び樋１の長手方向から視て、四隅が面取りされた略矩形状となるが、その形状は特に限定されない。呼び樋本体１１は、押し出し成形や射出成形で設けられる。
【００１７】
呼び樋本体１１の側面部には、図１に示すように、本実施形態では、上下方向の中間に窪み部１３が設けられる。窪み部１３は、本実施形態では、呼び樋１の長手方向から視て呼び樋本体１１の中心方向に凹む半円状となるが、その形状は特に限定されない。窪み部１３は、呼び樋本体１１の側面の呼び樋１の長手方向の全長に亘って設けられる。
【００１８】
呼び樋本体１１は、図１に示すように、呼び樋１の内部に溜まったゴミを除去するための開口（本実施形態では嵌め込み開口１４とする）を有する。本実施形態では、嵌め込み開口１４は上方向に開口する。嵌め込み開口１４は、呼び樋１の長手方向の中間に設けられることが好ましい。なお、呼び樋１は第一エルボ３と第二エルボ４とに嵌合するため、呼び樋１と第一エルボ３と第二エルボ４との嵌合代を除いた部分に嵌め込み開口１４が設けられることが好ましい。嵌め込み開口１４の呼び樋１の平面視の短手方向の長さは、本実施形態では、呼び樋１の短手方向の長さと等しくなっているが、特に限定されない。嵌め込み開口１４の呼び樋１の長手方向の長さは、呼び樋１と第一エルボ３と第二エルボ４との嵌合代を除いた部分の長さ以下になることが好ましい。嵌め込み開口１４の高さは、本実施形態では、呼び樋１の高さの略半分となっているが、特に限定されない。
【００１９】
開閉部１２は、本実施形態では、図１に示すように、呼び樋１の長手方向から視て、二隅が面取りされた略Ｕ字状となるが、その形状は特に限定されない。開閉部１２は、呼び樋本体１１の嵌め込み開口１４に開閉自在に取付けられるため、嵌め込み開口１４に沿った形状となる。開閉部１２は、射出成形で設けられる。
【００２０】
係合部１２ａは、開閉部１２が閉状態のとき、開閉部１２の下方の先端に設けられる。係合部１２ａは、本実施形態では、図２に示すように、呼び樋１の長手方向から視たとき、開閉部１２の中心方向に凹む半円状となるが、その形状は特に限定されない。係合部１２ａは、図３に示すように、開閉部１２に二ヶ所設けられるが、係合部１２ａの数は特に限定されない。
【００２１】
被係合部１１ａは、本実施形態では、窪み部１３により設けられる。被係合部１１ａは、図２に示すように、窪み部１３と同様に呼び樋１の長手方向から視て呼び樋本体１１の中心方向に凹む半円状となるが、その形状は特に限定されない。被係合部１１ａは、呼び樋本体１１の嵌め込み開口１４に開閉部１２が嵌め込まれたとき、呼び樋本体１１の係合部１２ａと係合する。
【００２２】
本実施形態では、係合部１２ａは被係合部１１ａに被覆するように係合する。係合部１２ａの下端と被係合部１１ａの上端を当接させる。そして、当接させた状態から、更に係合部１２ａを下方に押し込む。ここで、係合部１２ａと被係合部１１ａの弾性により、係合部１２ａは開閉部１２の中心方向とは逆側に拡がり、被係合部１１ａは呼び樋本体１１の中心方向に狭まる。こうすることで、係合部１２ａが被係合部１１ａの上端を乗り越えることができ、係合部１２ａが被係合部１１ａに嵌め込まれる。以上のようにして、係合部１２ａは被係合部１１ａと係合する。
【００２３】
本実施形態では、係合部１２ａは、開閉部１２の一端側に設けられる。被係合部１１ａは、呼び樋本体１１の係合部１２ａが設けられる同じ一端側の窪み部１３に設けられる。
【００２４】
本実施形態では、ヒンジ部１５が呼び樋本体１１から開閉部１２に亘って設けられることが好ましい。つまり、ヒンジ部１５は呼び樋本体１１と開閉部１２を回動自在に連結する。ヒンジ部１５は、本実施形態では、係合部１２ａと被係合部１１ａが設けられる一端側とは逆側の他端側に設けられる。ヒンジ部１５は、本実施形態では、開閉部１２の回動軸となり開閉部１２を開閉自在に回動させることができる。ヒンジ部１５は、例えば、呼び樋本体１１に呼び樋１の中心方向に開口を有する有底円筒状の受け部が設けられ、開閉部１２に開閉部１２の中心方向とは逆方向に突出する円柱状の突部が設けられてもよい。受け部に突部を挿入することにより、開閉部１２が呼び樋本体１１に軸支される。
【００２５】
本実施形態では、パッキン１２ｂが開閉部１２の縁の全長に亘って設けられることが好ましい。パッキン１２ｂは、嵌め込み開口１４に開閉部１２が嵌め込まれ、係合部１２ａと被係合部１１ａが係合したとき、呼び樋１内部を流れる水が外部に漏れ出さないように止水することができる。
【００２６】
本実施形態の呼び樋１では、開閉部１２が呼び樋本体１１の嵌め込み開口１４に嵌め込まれ、係合部１２ａと被係合部１１ａとを係合させると、呼び樋１が閉状態となる。呼び樋１が閉状態のとき、呼び樋１内部に水を流すことができる。本実施形態の呼び樋１では、係合部１２ａと被係合部１１ａとの係合を解除し、ヒンジ部１５を回動軸として開閉部１２を回動させると、呼び樋１が開状態となる。呼び樋１が開状態のとき、呼び樋１の内部を清掃することができる。本実施形態では、ヒンジ部１５が設けられ開閉部１２は回動するが、ヒンジ部１５が設けなくてもよい。
【００２７】
以上のような構成の呼び樋１を設けることで、呼び樋１を開状態にするだけで、呼び樋１の内部を外部に露出させることができる。そして、露出された嵌め込み開口１４を介して、呼び樋１の内部に溜まったゴミや落葉を簡単に除去することができる。
【符号の説明】
【００２８】
１    呼び樋
１１  呼び樋本体
１１ａ  被係合部
１２  開閉部
１２ａ  係合部
１２ｂ  パッキン
１３  窪み部
１４  嵌め込み開口
１５  ヒンジ部
２    軒樋
３    第一エルボ
４    第二エルボ
５    竪樋
【図１】
2014205999.tif 000003
【図２】
2014205999.tif 000004
【図３】
2014205999.tif 000005